(57)【要約】【課題】複数のセルを積み重ねて構成される燃料電池であっても、組み立ておよび分解が容易であり、良好な出力電圧を有する燃料電池を提供する。【解決手段】酸化剤ガス極用プレート部材１０と燃料ガス極用プレート部材５０との間に、複数のセルＣ１〜Ｃ３を積み重ねてなる燃料電池１であって、前記セルは、固体高分子電解質膜部材３２と、固体高分子電解質膜部材３２の一方の面上に第１シート状電極部材３５と、酸化剤ガス極用セパレータ部材２０とをこの順で配置し、固体高分子電解質膜部材３２の他方の面上に第２シート状電極部材３６と、燃料ガス極用セパレータ部材４０とをこの順で配置したものであり、酸化剤ガス極用プレート部材１０と燃料ガス極用プレート部材５０との間で複数のセルＣ１〜Ｃ３を挟持するネジ締め組立部材６０を有する燃料電池１。【選択図】図１
2018037163.tif 000002
【特許請求の範囲】
【請求項１】
酸化剤ガス極用プレート部材と燃料ガス極用プレート部材との間に、複数のセルを積み重ねてなる燃料電池であって、
前記セルは、
固体高分子電解質膜部材と、
前記固体高分子電解質膜部材の一方の面上に配置された第１シート状電極部材と、
前記第１シート状電極部材上に配置された酸化剤ガス極用セパレータ部材と、
前記固体高分子電解質膜部材の他方の面上に配置された第２シート状電極部材と、
前記第２シート状電極部材上に配置された燃料ガス極用セパレータ部材と、
を備え、
前記酸化剤ガス極用プレート部材と前記燃料ガス極用プレート部材との間で前記複数のセルを挟持するネジ締め組立部材を有する
ことを特徴とする燃料電池。
【請求項２】
前記ネジ締め組立部材が、前記複数のセルをその積み重ね方向で固定する組立ネジと、前記組立ネジを前記積み重ね方向に案内する組立ネジ用ガイドとを有することを特徴とする請求項１に記載の燃料電池。
【請求項３】
前記組立ネジ用ガイドが、前記酸化剤ガス極用プレート部材と前記燃料ガス極用プレート部材との間の全体にわたり、前記積み重ね方向に延びていることを特徴とする請求項２に記載の燃料電池。
【請求項４】
前記組立ネジ用ガイドが、前記酸化剤ガス極用プレート部材および前記燃料ガス極用プレート部材に対し着脱自在に設けられていることを特徴とする請求項２または３に記載の燃料電池。
【請求項５】
前記組立ネジ用ガイドが、円筒形状を有する請求項２〜４のいずれかに記載の燃料電池。
【請求項６】
請求項１〜５のいずれか１項に記載の燃料電池を構成する部材を有する燃料電池組み立てキット。
【発明の詳細な説明】
【技術分野】
【０００１】
本発明は、電気化学的な反応を利用した固体高分子形の燃料電池および燃料電池組み立てキットに関し、特に学習教材や初期的研究に好適に用い得る燃料電池および燃料電池組み立てキットに関する。
【背景技術】
【０００２】
従来の固体高分子形燃料電池は、ガス拡散性で電子伝導率を有する電極を固体高分子電解質膜の両面に配置し、一面に酸化剤ガス流路を設け、他面に燃料ガス流路を設けて構成されている。（例えば、特許文献１参照）。
しかし、特許文献１に開示された燃料電池は、単セルで構成されているために所望の出力電圧が得にくいという問題点があった。なお、複数のセルを積み重ねて燃料電池を構成すれば、高い出力電圧が得られるが、このような燃料電池は構造が複雑になり、例えば学習教材や初期的研究の分野に簡単に適用できない。例えば、燃料電池を組立キットとして構成する場合、前記のような燃料電池は多くの部品点数を必要とし、簡単に組み立てることができず、さらに分解および組み立てを繰り返すと各部品が各々の接触部で破損してしまうという問題点があった。
【先行技術文献】
【特許文献】
【０００３】
【特許文献１】特開２００５−２５９５４７号公報
【発明の概要】
【発明が解決しようとする課題】
【０００４】
したがって本発明の目的は、複数のセルを積み重ねて構成される燃料電池であっても、組み立ておよび分解が容易であり、良好な出力電圧を有する燃料電池および燃料電池組み立てキットを提供することにある。
【課題を解決するための手段】
【０００５】
本発明者は鋭意研究の結果、酸化剤ガス極用プレート部材と燃料ガス極用プレート部材との間で複数のセルを挟持するネジ締め組立部材を用いることにより、上述の課題を解決できることを見出し、本発明を完成するに至った。
すなわち本発明は以下の通りである。
【０００６】
１．酸化剤ガス極用プレート部材と燃料ガス極用プレート部材との間に、複数のセルを積み重ねてなる燃料電池であって、
前記セルは、
固体高分子電解質膜部材と、
前記固体高分子電解質膜部材の一方の面上に配置された第１シート状電極部材と、
前記第１シート状電極部材上に配置された酸化剤ガス極用セパレータ部材と、
前記固体高分子電解質膜部材の他方の面上に配置された第２シート状電極部材と、
前記第２シート状電極部材上に配置された燃料ガス極用セパレータ部材と、
を備え、
前記酸化剤ガス極用プレート部材と前記燃料ガス極用プレート部材との間で前記複数のセルを挟持するネジ締め組立部材を有する
ことを特徴とする燃料電池。
２．前記ネジ締め組立部材が、前記複数のセルをその積み重ね方向で固定する組立ネジと、前記組立ネジを前記積み重ね方向に案内する組立ネジ用ガイドとを有することを特徴とする前記１に記載の燃料電池。
３．前記組立ネジ用ガイドが、前記酸化剤ガス極用プレート部材と前記燃料ガス極用プレート部材との間の全体にわたり、前記積み重ね方向に延びていることを特徴とする前記２に記載の燃料電池。
４．前記組立ネジ用ガイドが、前記酸化剤ガス極用プレート部材および前記燃料ガス極用プレート部材に対し着脱自在に設けられていることを特徴とする前記２または３に記載の燃料電池。
５．前記組立ネジ用ガイドが、円筒形状を有する前記２〜４のいずれかに記載の燃料電池。
６．前記１〜４のいずれか１項に記載の燃料電池を構成する部材を有する燃料電池組み立てキット。
【発明の効果】
【０００７】
本発明によれば、複数のセルを積み重ねて構成される燃料電池であっても、組み立ておよび分解が容易であり、良好な出力電圧を有する燃料電池および燃料電池組み立てキットを提供することができる。
【図面の簡単な説明】
【０００８】
【図１】本実施の形態に係る燃料電池の分解斜視図である。
【図２】本実施の形態に係る燃料電池の組立後の燃料電池の斜視図である。
【図３】（ａ）は空気極用プレートの平面図であり、（ｂ）は（ａ）のＡ−Ａ断面図であり、（ｃ）は空気極用プレートの底面図である。
【図４】（ａ）は空気極用セパレータの平面図であり、（ｂ）は（ａ）のＡ−Ａ断面図であり、（ｃ）は空気極用セパレータの底面図である。
【図５】（ａ）は、ガスケットの平面図であり、（ｂ）は各拡散層付き電極並びに導電性層の平面図であり、（ｃ）は集電板用ガスケットの平面図であり、および（ｄ）は固体高分子電解質膜の平面図である。
【図６】（ａ）は水素極用セパレータの平面図であり、（ｂ）は水素極用セパレータの底面図である。
【図７】共通集電板（＋極）および共通集電板（−極）の平面図である。
【図８】（ａ）は水素極用プレートの上面図であり、（ｂ）は水素極用プレートの正面図であり、（ｃ）は水素極用プレートの底面図である。
【発明を実施するための形態】
【０００９】
以下、本実施の形態について図面を参照しつつ説明する。本実施の形態に係る燃料電池１は、酸化剤ガスとして空気を用い、燃料ガスとして水素を用いたものを一例として説明する。
【００１０】
図１は、本実施の形態に係る燃料電池１の分解斜視図である。図２は本実施の形態に係る燃料電池の組立後の燃料電池の斜視図である。
燃料電池１は、基本的に、空気極用プレート１０（酸化剤ガス極用プレート部材）と水素極用プレート５０（燃料ガス極用プレート部材）との間に、複数のセルＣ１、Ｃ２、Ｃ３を積み重ねてなる。
そのうちのセルＣ１について説明する。
セルＣ１は、固体高分子電解質膜部材３２と、
固体高分子電解質膜部材３２の一方の面上に配置された空気極用シート状電極３５（第１シート状電極部材）と、
空気極用シート状電極３５上に配置された空気極用セパレータ２０（酸化剤ガス極用セパレータ部材）と、
固体高分子電解質膜部材３２の他方の面上に配置された水素極用シート状電極３６（第２シート状電極部材）と、
水素極用シート状電極３６上に配置された水素極用セパレータ４０（燃料ガス極用セパレータ部材）と、
を備える。
【００１１】
また、セルＣ１において、空気極用シート状電極３５は、ガスケット３０および拡散層付き電極３１からなり、水素極用シート状電極３６は、ガスケット３４および拡散層付き電極３３からなる。
【００１２】
図１に示す形態では、セルＣ１と同様の構成を有する他の２つのセルＣ２、Ｃ３が、セルＣ１上に積み重ねられ、３セルの燃料電池が構成されている。
【００１３】
また、空気極用プレート１０とセルＣ１との間には、集電板用ガスケット１０１を介して共通集電板（＋極）１０２が配置され、水素極用プレート５０とセルＣ３との間には、集電板用ガスケット１０３を介して共通集電板（−極）１０４が配置されている。
また、導電性層１０５およびガスケット１０６からなる中間シート部材１０７が、共通集電板（＋極）１０２と空気極用セパレータ２０との間、セルＣ１とセルＣ２との間、セルＣ２とセルＣ３との間、および共通集電板（−極）１０４とセルＣ３の水素極用セパレータ４０との間に配置されている。
【００１４】
さらに、燃料電池１は、空気極用プレート１０と水素極用プレート５０との間で複数のセルＣ１、Ｃ２、Ｃ３を挟持するネジ締め組立部材を有する。ネジ締め組立部材は、図１の形態では、２本の組立ネジ６０からなっている。そのため、水素極用プレート５０の左右端部には、組立ネジ６０による組立て時に組立ネジ６０を収納するためのネジ穴５０ｃが設けられている。また、水素極用プレート５０のネジ穴５０ｃから下に向けて組立ネジ６０を挿入し、組立ネジ６０のネジ山が空気極用プレート１０の固定メスネジ穴１０ｂのネジと螺合するようになっている。
この構成によれば、図示した燃料電池１のように、複数のセルＣ１、Ｃ２、Ｃ３を積み重ねて構成しても、組み立ておよび分解が容易であり、複数のセルを有することから良好な出力電圧を提供できる。
【００１５】
さらに、ネジ締め組立部材は、組立ネジ６０を複数のセルＣ１、Ｃ２、Ｃ３の積み重ね方向に案内する２つの組立ネジ用ガイド６１を有する。組立ネジ用ガイド６１は、組立ネジ６０を収容可能な円筒形であることができる。また、組立ネジ用ガイド６１がアクリル樹脂のような透明部材から形成されていれば、複数のセルＣ１、Ｃ２、Ｃ３の積み重ね方向の固定の状況を把握でき、好ましい。この組立ネジ用ガイド６１の存在により、組立ネジ６０による空気極用プレート１０および水素極用プレート５０間の螺合が容易となるとともに、部品点数の多い燃料電池であっても、簡単な組み立てを可能とし、各部品の破損も防止できる。とくに下記で説明する各部品が位置決め半穴Ｓを有する形態によれば、これが円筒形状の組立ネジ用ガイド６１の外周と係合して、簡単かつ迅速な部品の組み立てを可能にする。
【００１６】
また、図２に示すように、本発明の好適な形態によれば、組立ネジ用ガイド６１は、空気極用プレート１０および水素極用プレート５０間の全体にわたり、セルＣ１、Ｃ２、Ｃ３の積み重ね方向に延びている。この好適な形態によれば、組立ネジ６０による空気極用プレート１０および水素極用プレート５０間の螺合のさらなる容易化が図れるとともに、簡単な組み立て、並びに各部品の破損の防止をさらに向上できる。
【００１７】
また、図１に示すように、本発明のとくに好適な形態によれば、組立ネジ用ガイド６１は、空気極用プレート１０および水素極用プレート５０に対し着脱自在に設けられている。このとくに好適な形態によれば、燃料電池１のセル数が変化しても、組立ネジ用ガイド６１の、セルＣ１、Ｃ２、Ｃ３の積み重ね方向における長さを調整することにより、あるいは、別に用意してある種々の長さの組立ネジ用ガイド６１を選択することにより、様々なセル数の燃料電池に対応することが可能となる。
【００１８】
次に、燃料電池１を構成する各部品について説明する。
まず、空気極用プレート１０について説明する。図３（ａ）は空気極用プレート１０の平面図であり、図３（ｂ）は空気極用プレート１０の図３（ａ）のＡ−Ａ断面図であり、図３（ｃ）は空気極用プレート１０の底面図である。空気極用プレート１０は燃料電池１の組立状態や内部がよく見えるように、絶縁性を有する透明な材質（例えば、透明塩化ビニル樹脂、透明アクリル樹脂のような樹脂系の材料やガラス等）で形成されている。空気極用プレート１０の左右端部には、固定メスネジ穴１０ｂが設けられている。水素極用プレート５０のネジ穴５０ｃから下に向けて組立ネジ６０が挿入された際に、組立ネジ６０のネジ山が固定メスネジ穴１０ｂのネジと螺合するようになっている。また、固定メスネジ穴１０ｂの中央部には、組立ネジ６０のネジ山の外径よりも若干大きい孔部１０ｃが設けられ、ここに円筒形の組立ネジ用ガイド６１が挿入され固定される。
【００１９】
空気極用セパレータ２０について説明する。図４（ａ）は空気極用セパレータ２０の平面図であり、図４（ｂ）は空気極用セパレータ２０の図４（ａ）のＡ−Ａ断面図であり、図４（ｃ）は空気極用セパレータ２０の底面図である。空気極用セパレータ２０は、不透過性の金属、導電性セラミックス、炭素、膨張黒鉛または導電性ポリマ等から形成されている。また、空気極用セパレータ２０には、厚み方向に貫通する二つの水素ガス供給穴Ｇが形成されている。
【００２０】
空気極用セパレータ２０の左右端部には、円筒形の組立ネジ用ガイド６１に嵌合するように位置決め半穴Ｓが設けられている。また、空気極用セパレータ２０の中央部には空気の流通が可能な凹部２０ａが設けられ、拡散層付き電極３１に満遍なく空気を供給することができる。なお、凹部２０ａは孔部２０ｂによって空気極用セパレータ２０の厚み方向で貫通している。この空気極用セパレータ２０の形態は、パッシブ形として知られている。
【００２１】
ガスケット３０、３４、１０１、１０３および１０６、拡散層付き電極３１および３３並びに導電性層１０５、固体高分子電解質膜部材３２について説明する。図５（ａ）は、ガスケット３０、３４、１０６の平面図であり、図５（ｂ）は、各拡散層付き電極３１および３３並びに導電性層１０５の平面図であり、図５（ｃ）は集電板用ガスケット１０１および１０３の平面図であり、および図５（ｄ）は固体高分子電解質膜部材３２の平面図である。前記各ガスケットはいずれも、シリコーン樹脂材やフッ素樹脂材等で形成され、各部品の隙間をシールするものである。拡散層付き電極３１および３３は、カーボンペーパ、カーボンクロス等の黒鉛繊維による多孔質基材に、白金、白金ルテニウム合金等の触媒層が固体高分子電解質膜部材３２側の面に形成されてなる。なお、導電性層１０５は、拡散層付き電極３１および３３と同じ構成を有するが、触媒層は形成されていない。固体高分子電解質膜部材３２は親水基および疎水基を有する固体の電解質高分子膜である。固体高分子電解質膜部材３２は、拡散層付き電極３１で生成されたプロトンを拡散層付き電極３３に供給する。固体高分子電解質膜部材３２は、市販されている部材を使用することができる（例えばデュポン社製ナフィオン）。各ガスケットおよび固体高分子電解質膜部材３２には、厚み方向に貫通する二つの水素ガス供給穴Ｇが形成され、また、その左右端部には、円筒形の組立ネジ用ガイド６１に嵌合するように位置決め半穴Ｓが設けられている。
【００２２】
水素極用セパレータ４０について説明する。図６（ａ）は水素極用セパレータ４０の平面図であり、図６（ｂ）は水素極用セパレータ４０の底面図である。水素極用セパレータ４０は、金属等により形成されているとともに、厚み方向に貫通する二つの水素ガス供給穴Ｇが形成されており、一方の水素ガス供給穴Ｇ１からジグザグ状の経路を経て他方の水素ガス供給穴Ｇ２に連絡している溝である水素ガス流路４０ｅが設けられている。水素ガス流路４０ｅは一方の水素ガス供給穴４０から導入された水素を水素極用シート状電極３６の表面に沿って流すための流路である。水素ガス流路４０ｅは、水素極用シート状電極３６と水素ガスとの接触面積を増加させる観点から、本実施の形態ではジグザグ状に形成されているものを例示したが、本発明はこれに限定されず、他の形状であることもできる。
また、水素極用セパレータ４０の左右端部には、円筒形の組立ネジ用ガイド６１に嵌合するように位置決め半穴Ｓが設けられている。
【００２３】
共通集電板（＋極）１０２および共通集電板（−極）１０４について説明する。図７は共通集電板（＋極）１０２および共通集電板（−極）１０４の平面図である。
共通集電板（＋極）１０２および共通集電板（−極）１０４は、金属等により形成され、電力取りだしコネクタ取付穴１１０が端部に開口している端子１１２が正面方向へ延出している。共通集電板（＋極）１０２の端子１１２は、共通集電板（−極）１０４のそれと線対象の位置に配置されている。また、共通集電板（＋極）１０２および共通集電板（−極）１０４には、厚み方向に貫通する水素ガス供給穴Ｇが形成されている。なお、本実施の形態では水素ガス供給穴Ｇを四か所設けているが、これは共通集電板（＋極）１０２および共通集電板（−極）１０４を線対象の位置に配置し、かつ両方の共通集電板に同じ部品を用いることを想定していることによる。しかし本発明は係る形態に限定されず、両方の共通集電板に同じ部品を用いることを想定していなければ、水素ガス供給穴Ｇを例えば二か所に設けることができ、また、水素ガス供給穴Ｇの設置場所は、水素の供給に悪影響を及ぼさない限り任意であり、適宜決定することができる。また、共通集電板（＋極）１０２および共通集電板（−極）１０４の左右端部には、円筒形の組立ネジ用ガイド６１に嵌合するように位置決め半穴Ｓが設けられている。
【００２４】
水素極用プレート５０について説明する。図８（ａ）は水素極用プレート５０の上面図であり、図８（ｂ）は水素極用プレート５０の正面図であり、図８（ｃ）は水素極用プレート５０の底面図である。水素極用プレート５０は、空気極用プレート１０と同様に絶縁性を有する透明な材質で形成されている。
【００２５】
水素極用プレート５０の集電板用ガスケット１０３と接する面の反対側の面には、中心部に水素ガス供給穴５０ｂが設けられた２本の水素ガス供給チューブ５０ａが突出するように形成されている。水素ガス供給穴５０ｂは、水素極用プレート５０が集電板用ガスケット１０３に組み付けられたとき、集電板用ガスケット１０３の水素ガス供給穴Ｇと連通する。
【００２６】
なお、上記で説明した各部品の水素ガス供給穴Ｇはいずれも連通している。
【００２７】
また、水素極用プレート５０の左右端部には、組立ネジ６０による組立て時に組立ネジ６０の頭部を収納するためのネジ穴５０ｃと、ネジ穴５０ｃに連結して組立ネジ６０に螺合する固定メスネジ穴５０ｄとを有する。
【００２８】
本実施の形態に係る燃料電池１の組立て方法の一例について説明する。この説明では、空気極用プレート１０の上に各構成部材を順に配置する方法について説明する。まず、空気極用プレート１０の孔部１０ｃに、円筒形の組立ネジ用ガイド６１を挿入し、固定する。そして各部品の位置決め半穴Ｓが、円筒形の組立ネジ用ガイド６１に嵌合するように、各部品を積み重ねていく。
空気極用プレート１０の上に、集電板用ガスケット１０１および共通集電板（＋極）１０２、中間シート部材１０７をこの順で置く。中間シート部材１０７は、ガスケット１０６の開口部に導電層１０５を嵌入して形成する。ガスケット１０６および導電層１０５はほぼ同じ厚みを有するため、両者の上面はほぼ平らになる。
次に、中間シート部材１０７の上に空気極用セパレータ２０および空気極用シート状電極３５を置く。空気極用シート状電極３５は、ガスケット３０の開口部に拡散層付き電極３１を嵌入して形成する。ガスケット３０と拡散層付き電極３１とはほぼ同じ厚みを有するため、両者の上面はほぼ平らになる。
【００２９】
続いて、ガスケット３０と拡散層付き電極３１とが形成する平面の上にシート状の固体高分子電解質膜部材３２を置く。固体高分子電解質膜部材３２の上に更にガスケット３４および拡散層付き電極３３を置く。これらのシート状の部材が平らな層をなすように置かれた上に水素極用セパレータ４０を置き、セルＣ１が形成される。
【００３０】
セルＣ２は、セルＣ１の水素極用セパレータ４０上に中間シート部材１０７を置いた後、セルＣ１と同様に各部品をセルＣ１上に置いて形成することができる。
セルＣ３は、セルＣ２の水素極用セパレータ４０上に中間シート部材１０７を置いた後、セルＣ１と同様に各部品をセルＣ２上に置いて形成することができる。
【００３１】
そして、セルＣ３の上に中間シート部材１０７を置いた後、その上に共通集電板（−極）１０４、集電板用ガスケット１０３を置き、さらにその上に水素極用プレート５０を置く。
【００３２】
上述のように各部品が重ねられた後に、水素極用プレート５０のネジ穴５０ｃから下に向けて組立ネジ６０を、円筒形の組立ネジ用ガイド６１の円筒部分に挿入し、組立ネジ６０のネジ山が空気極用プレート１０の固定メスネジ穴１０ｂのネジと螺合するように組立てる。負荷は端子１１２間に接続される。
【００３３】
このようにして組立てた燃料電池１の駆動方法について説明する。まず、一方の水素ガス供給チューブ５０ａから供給された水素は、一方の水素ガス供給穴Ｇを通過し、水素極用セパレータ４０の水素ガス流路４０ｅに導入されるとともに拡散層付き電極３３の表面に供給される。反応後の残余の水素は、他方の水素ガス供給穴Ｇを通過し、他方の水素ガス供給チューブ５０ａから排出される。
【００３４】
一方、空気は自然供給の形で空気極用セパレータ２０を経て拡散層付き電極３１の表面に供給される。そして、固体高分子電解質膜部材３２を介して発生するイオン電導性と電子非電導性とにより、端子１１２間に接続される負荷に電力が供給される。
【００３５】
また、燃料電池１は、その組み立て前の状態において燃料電池組み立てキットとして好適に用いることが可能となる。
【００３６】
本実施の形態に係る燃料電池１では、酸化剤ガスとして空気を用い、燃料ガスとして水素を用いる燃料電池について説明したが、酸化剤ガスとして酸素等、燃料ガスとしてメタンガス等を用いてもよい。メタンガスを用いる場合、拡散層付き電極３１の拡散層の膜厚を増加して出力を確保する等の手段を講じてもよい。また、燃料ガスの変わりにメタノールやエタノール等の液体燃料を用いてもよい。この場合、液体燃料の種類に応じて拡散層付き電極３１の触媒成分を白金系合金、酸化物系材料、カーボン系材料、錯体系材料等に適宜変更してもよい。
【００３７】
本実施の形態に係る燃料電池１では、３セル構造の燃料電池を例に取り説明したが、本発明はこれに限定されず、任意の個数のセルを積み重ねて形成してもよい。この場合、上述のように、組立ネジ用ガイド６１の長さを調整することにより、あるいは、別に用意してある種々の長さの組立ネジ用ガイド６１を選択することにより、様々なセル数の燃料電池に対応することが可能となる。
【００３８】
本実施の形態に係る燃料電池１では、空気極セパレータ２０を介して拡散層付き電極３１の表面に空気が自然供給されるようにしたが、酸化剤ガスとして酸素を用いる場合には、閉鎖された空間で強制供給可能な形に構成してもよい。
【符号の説明】
【００３９】
１  燃料電池
１０  空気極用プレート
２０  空気極用セパレータ
３０、３４、１０１、１０３、１０６  ガスケット
３１、３３  拡散層付き電極
３２  固体高分子電解質膜部材
３５  空気極用シート状電極
３６  水素極用シート状電極
４０  水素極用セパレータ
５０  水素極用プレート
６０  組立ネジ
６１  組立ネジ用ガイド
１０１、１０３  集電板用ガスケット
１０２  共通集電板（＋極）
１０４  共通集電板（−極）
１０５  導電層
１０７  中間シート部材
Ｃ１、Ｃ２、Ｃ３  セル
Ｇ  水素ガス供給穴
Ｓ  位置決め半穴
【図１】
2018037163.tif 000003
【図２】
2018037163.tif 000004
【図３】
2018037163.tif 000005
【図４】
2018037163.tif 000006
【図５】
2018037163.tif 000007
【図６】
2018037163.tif 000008
【図７】
2018037163.tif 000009
【図８】
2018037163.tif 000010